(57)【要約】      （修正有）【課題】設備の汎用性が高く、農業について特別な知識がなくても小規模な無農薬栽培が可能な水耕栽培装置セットを提供する。【解決手段】水耕栽培装置は、貫通穴の開いた発泡スチロール板１を土台として苗の固定に使用し、液肥４を満たした水槽５の中に発泡スチロール板１を浮かべ、植物の大きさと数に合わせて貫通穴を塞ぐか塞がないかを選択し、水のしみこみやすい切れ込みの入ったスポンジ９と組み合わせることで栽培の土台とする。それと同時に発砲スチロールを一般的な白色のみならず他の色にも着色する。【選択図】図４
0003180253.tif 000002
【実用新案登録請求の範囲】
【請求項１】
複数の貫通穴の開いた発泡スチロール板と、貫通穴と全く同形で貫通穴と同数の円柱発泡スチロールを用いることを特徴とした水耕栽培装置。
【請求項２】
請求項１記載の水耕栽培装置において、直方体を基礎とする水槽または角容器と、ＬＥＤライトと、小型ポットと、スポンジと、液肥とを用いて用いることを特徴とした水耕栽培装置。
【請求項３】
水槽正面にへこみがあり、そのへこみより上部分の正面のガラスが着脱可能であることを特徴とする請求項１または２記載の水耕栽培装置。
【請求項４】
請求項１から３記載の水耕栽培装置において、パイプを用いて複数の水槽または角容器をつなぎ、ポンプを用いて液肥を循環させることを特徴とする水耕栽培装置。
【請求項５】
請求項１から４記載の水耕栽培装置において、発泡率が３〜１００倍程度、より望ましくは２０〜４０倍であり、横幅５０mm〜３０００mm程度、奥行５０mm〜３０００mm程度、より望ましくは使用する水槽または角容器の内寸と完全に同じ寸法か横幅が０mm〜５mm短く、奥行きが０mm〜５mm短いものであり、厚さ５mm〜５０mm程度、より望ましくは１５mm〜３０mmであり、貫通穴の大きさは特に問わないが半径５mm〜３０mm程度、より望ましくは１２mm〜２０mmであり、貫通穴の個数は特に問わないが、より望ましくは貫通穴の半径をＲとして貫通穴の中心間の距離が３Ｒとなる間隔で貫通穴が開いている発泡スチロール板を用いる水耕栽培装置。
【請求項６】
請求項１から５記載の水耕栽培装置において、着色の方法および色彩は特に問わないが、より望ましくは白色、灰色、黒色のいずれかに着色した発泡スチロール板を用いる水耕栽培装置。
【考案の詳細な説明】
【技術分野】
【０００１】
本考案は、農業について特別な知識を有しない者でも安価で簡便に水耕栽培を行うための、発泡スチロール板を中心とした水耕栽培装置に関するものである。
【背景技術】
【０００２】
植物の栽培方法の中で水耕栽培は、通常の土壌を用いた栽培方法の短所を改善するために利用されている。具体的には、煩雑で気象条件に左右される水やりの手間の平準化や、養分管理や土壌の性質管理の容易化、害虫や病害の予防、季節に左右されない多毛作化などが水耕栽培によって可能となっている。その結果、土による根の成長ストレスが除外されて成長促進と収量増加を実現し、市場での付加価値が著しく高い無農薬栽培をも容易にしている。
【０００３】
このような水耕栽培は、家庭用観葉植物栽培（ハイドロカルチャー）を除いては農業法人用大型設備が中心であり、ハウス技術や工場設備と組み合わせて高い生産性を実現してきた。例えば専用パイプで水を循環させる、溶液を噴霧して根腐れを防止する、などの方法がとられてきた。これらはいずれも植物の成長に最適化されており、短いサイクルで安定した収量を得られる上に無農薬栽培が比較的容易となる。
【０００４】
なお、いずれの水耕栽培装置でも植物苗を直接水面に浮かばせることはできず、植物を固定する部品を要する。この方法につき、既存の水耕栽培装置はおおよそ以下の２種類に大別される。すなわち、(甲)液肥循環用のパイプなどに穴を空けて直接その穴に植物を固定するもの、(乙)スポンジでできたシートなどに植物を播種してそのシートなどを液肥に浮かばせるものである。
【０００５】
また、生産から消費の面に目を移すと、食の安全の重要性が高まる昨今では無農薬野菜が注目されている。これは一般消費者を対象とした小売り事業に限られず、植物を原材料とする飲食店や食品事業者にも観察される流れである。また家庭菜園に端を発する小規模で家庭内での安全で簡単な植物栽培への関心も集まっている。こうした需要の変化は水耕栽培に追い風である。
【考案の概要】
【考案が解決しようとする課題】
【０００６】
既存の水耕栽培技術が様々な技術との組み合わせを必要として汎用性が低いこと、多額の初期投資を要すことから、水耕栽培の実施は大規模法人主体の事業に限られ、栽培品目も一部の食用野菜に限定されてきた。したがって需要の変化に完全には対応できていない。またこれらの設備を用いた栽培は現状では高コスト体質であり、採算性も低い傾向にある。
【０００７】
汎用性について言えば、 (甲) 液肥循環用のパイプなどに穴を空けて直接その穴に植物を固定する種類の設備では工場やハウスごとに完全に専用の設備を必要とし、最小規模が大きい上に一度敷設してしまうと全体の構成の変更も困難である。また、パイプ形状の制約から栽培品種も限定される。
(乙) スポンジでできたシートなどに植物を播種してそのシートなどを液肥に浮かばせる種類の設備でも一度設備を敷設すると栽培用シートの形状が固定されるため、採算を維持するためには短サイクルで大規模に運転する必要がある。また、仮にシートの大きさを維持したまま１枚のシートに植える苗の密度を下げて生産量を調整した場合、苗を間引かれた部分から藻の発生を誘発してしまう問題があった。したがって栽培可能な品種は収穫までのサイクル・苗の大きさなどの制約から限定された。
【０００８】
一方、(甲)(乙)いずれの場合も植物の栽培に最適化するには他の装置との組み合わせが必要で、初期投資は膨らむ。例えば温度を一定に保つためのハウス設備や工場設備、あるいは照明を維持するための工場設備などを要した。
【０００９】
このように汎用性のない専用設備が高額であるため柔軟な運用が避けられ、採算性は低い傾向にある。同時に最小規模や初期投資などの制約から商業水耕栽培は事業主体が大規模事業主に限定されてきた。
【００１０】
個人消費者向けの小型水耕栽培に関しては、専用設計と複雑な仕組み、さらには高価格が障害となり(甲)を小型化・単純化した設備は普及するに至っていない。(乙)を応用したものもいくつか試みられているが、照明や藻を予防する形状など諸要素を最適化するための高価格化などが妨げとなり、こちらも旺盛な需要に対応するに至っていない。
【００１１】
本考案は現状に鑑み、設備の汎用性が低く高価であるという水耕栽培の課題の解決を目指す。それと同時に、複雑な装置でなければ藻を防げないなど、農業について特別な知識がなければ実施が難しい水耕栽培の現状の打開をも目標とする。
【課題を解決するための手段】
【００１２】
本考案の水耕栽培装置は、貫通穴の開いた発泡スチロール板を土台として苗の固定に使用することを特徴とする水耕栽培装置である。発砲スチロール板は、１枚に等間隔で複数の貫通穴が開いており、貫通穴と全く同形の円柱発泡スチロールも付属しているため穴を塞いで使用することもできる。
【００１３】
水耕栽培装置としては、液肥を満たした水槽の中に上記発泡スチロールを浮かべ、植物の大きさと数に合わせて貫通穴を塞ぐか塞がないかを選択し、水のしみこみやすい切れ込みの入ったスポンジと組み合わせることで栽培の土台とする。
【００１４】
それと同時に発砲スチロールを一般的な白色のみならず他の色にも着色する。
【考案の効果】
【００１５】
本考案の発泡スチロールを用いた水耕栽培装置は、栽培する植物の大きさや成長段階あるいは栽培密度に合わせて穴と穴の間隔を調整することができる。したがって水耕栽培装置を取り換えずに栽培品種を柔軟に変えることも可能である。
【００１６】
また、穴を塞ぐ機能がある発砲スチロール自体に汎用性があり最終的な使用形態に即して発砲スチロールの形状を変える必要がない。したがっていかなる製品に対しても発泡スチロール成形金型は１種類のみで個別に特注する必要がなく、安価で提供可能である。
【００１７】
使用しない穴を同形の円柱発泡スチロールで塞ぐことができ、水耕栽培の水面に直接光があたることがないため、藻の発生も抑えられる。
【００１８】
さらに、白色の他、黒や灰色にも着色できるため万が一藻が生えても圧倒的に清潔感のある外観を維持することが可能である。
【００１９】
その結果、家庭内で手軽に無農薬水耕栽培ができるようになるほか、カフェなど小型店舗内での小規模水耕栽培が可能となり、いずれの場合も無農薬野菜の利用が容易になる。
【図面の簡単な説明】
【００２０】
【図１】本考案の、貫通穴２の複数ある発泡スチロール板１の斜視図である。
【図２】図１の貫通穴２と同形の円柱発泡スチロール３の斜視図である。
【図３】図１の破線α‐βでの断面をγからδの方向に見た断面図である。
【図４】本考案の実施の形態にかかわる家庭用の水耕栽培装置の斜視図である。
【図５】小型ポット８の側面図である。
【図６】本考案の実施の形態にかかわる業務用の水耕栽培装置の斜視図である。
【考案を実施するための形態】
【００２１】
低コストで簡単に水耕栽培を行うという目的を、簡潔な部品構成で実現した。以下、本考案の実施を具体化した家庭用の水耕栽培装置である実施形態１と業務用小型水耕栽培装置である実施形態２を、図を参照しつつ実施形態ごとに個別に説明する。
【実施例】
【００２２】
（実施形態１）
実施形態１では図４に示したように、液肥４を入れた水槽５の中に、本考案発砲スチロール板１を入れ、上から水槽５の全体を、木片６で固定したＬＥＤライト７で照らす。発泡スチロール１に複数ある貫通穴２は、小型ポット８および液肥４を浸み込ませた切り込み入りのスポンジ９を嵌め込んで植物の水耕栽培に用いるか、円柱発泡スチロール３を嵌め込んで穴を完全に塞ぐ。スポンジ９に種をまき、水耕栽培を行う。
【００２３】
水槽５は横幅１００mm〜１５００mm×奥行１０mm〜５００mm×高さ１５mm〜５０mm程度で、形状は単純な直方体を基調とする。ただし、正面に高さ５分の１程度、奥行きの５分の１程度のへこみ１０を有し、へこみ１０より上の正面ガラスを着脱できることが望ましい。さらに、水槽５上面に奥行の３分の１ほどのガラス板１１と同じく奥行の３分の２ほどのガラス板１２を有し、上面をガラス板１１とガラス板１２で塞げ、ＬＥＤライト７を乗せられることが望ましい。
【００２４】
図５に示すように小型ポット８の、くびれより下の部分で最も小さい半径をｒ１、くびれより下の部分で最も大きい半径をｒ２、くびれより上の部分の半径をｒ３、ポットのくびれより下の部分の高さをｈとしたとき、貫通穴２の半径がｒ２より１〜２mm程度大きく、貫通穴２の半径がｒ３より１〜２mm程度小さく、貫通穴２の深さがｈと同等か５mm以下の範囲でｈより短いことが望ましい。
【００２５】
（実施形態２）
実施形態２では図６に示したように、液肥４を入れた角型容器１３の中に本考案発泡スチロール板１を入れ、ＬＥＤ照明１４を取り付けた金属製ラック１５に角型容器１３を複数個収容してそれぞれの角型容器をパイプ１６でつなぎ、ポンプ１７を介することで液肥を循環させる。その他の使い方は実施形態１と同様である。
【００２６】
以上、本考案の実施形態につき詳述したが、具体的な構成は上記実施形態にのみに限られるものではなく、本考案の要旨を逸脱しない範囲における設計の変更があっても本考案に含まれる。たとえば、植物を固定するための切り込み入りのスポンジ９の代わりにロックウールやバーミキュライトを用いてもよい。切り込み入りのスポンジの上に本考案発砲スチロール板と同じ素材で薄い円盤形の板を乗せて、清潔感を増強してもよい。また、実施形態１において液肥が含む酸素量を増やすためにエアレーションポンプを設置してもよい。あるいは実施例２において、液肥を一定温度に保つクーラーとヒーターや液肥を貯める液肥タンクを循環装置内に組み込んでもよいし、液肥濃度を自動で調整する装置を組み込んでもよい。栽培品目も無農薬野菜に限られず、利用者が自由に選択できる点はもちろんである。
【産業上の利用可能性】
【００２７】
本考案の、塞ぐことのできる貫通穴の開いた発泡スチロール板を用いた水耕栽培装置は家庭用および業務用小型水耕装置として利用可能である。
【符号の説明】
【００２８】
１：貫通穴２の開いた発泡スチロール板
２：貫通穴
３：貫通穴２と全く同形の円柱発泡スチロール
４：液肥
５：水槽
６：ＬＥＤライト７を固定する木片
７：ＬＥＤライト
８：小型ポット
９：切り込み入りのスポンジ
１０：水槽５の正面にあるへこみ
１１：水槽５の上面のガラス板
１２：水槽５の上面のガラス板
１３：角型容器
１４：ＬＥＤ照明
１５：金属製ラック
１６：パイプ
１７：ポンプ
【図１】
0003180253.tif 000003
【図２】
0003180253.tif 000004
【図３】
0003180253.tif 000005
【図４】
0003180253.tif 000006
【図５】
0003180253.tif 000007
【図６】
0003180253.tif 000008
【手続補正書】
【提出日】平成24年10月5日(2012.10.5)
【手続補正１】
【補正対象書類名】実用新案登録請求の範囲
【補正対象項目名】全文
【補正方法】変更
【補正の内容】
【実用新案登録請求の範囲】
【請求項１】
複数の貫通穴の開いた発泡スチロール板と、貫通穴と全く同形で貫通穴と同数の円柱発泡スチロールと、からなる水耕栽培装置セット。
【請求項２】
請求項１記載の水耕栽培装置セットにおいて、直方体を基礎とする水槽または角容器と、ＬＥＤライトと、小型ポットと、スポンジと、液肥と、からなる水耕栽培装置セット。
【請求項３】
正面にへこみがあり、そのへこみより上部分の正面のガラスが着脱可能であることを特徴とする水槽からなる請求項１または２記載の水耕栽培装置セット。
【請求項４】
請求項１から３の何れかに記載の水耕栽培装置セットにおいて、一つまたは複数の水槽または角容器と、ポンプと、それら水槽または角容器とポンプをつなぐパイプと、からなる水耕栽培装置セット。
【請求項５】
請求項１から４の何れかに記載の水耕栽培装置セットにおいて、発泡率が３〜１００倍程度であり、横幅５０mm〜３０００mm程度、奥行５０mm〜３０００mm程度、厚さ５mm〜５０mm程度であり、貫通穴の半径５mm〜３０mm程度であり、貫通穴の半径をＲとして貫通穴の中心間の距離が１Ｒ〜５Ｒとなる間隔で貫通穴が開いている発泡スチロール板を用いる水耕栽培装置セット。
【請求項６】
請求項１から５の何れかに記載の水耕栽培装置セットにおいて、白色、灰色、黒色の何れかに着色した発泡スチロール板を用いる水耕栽培装置セット。